(57)【要約】【課題】ドア枠の取付作業性に優れ、かつ、耐久性に優れた止水状態を容易に得られるドア枠の取付構造を提供することを目的としている。【解決手段】防水床パンに形成されたドア枠嵌合部の端縁の内、少なくとも立上壁の端縁、パネル受部の端縁および水返し部の端縁とドア枠との間に配置される止水材が、弾性材料からなるシート状または棒状材で形成されていて、ドア枠を嵌合させた時にドア枠の立上壁の端縁、パネル受部の端縁および水返し部の端縁と対向する面に予め固着されており、ドア枠嵌合部の端縁に弾性変形した状態で圧接されるようにドア枠とともにドア枠嵌合部に嵌め込まれるようにした。【選択図】      図２
2005146794.tif 000002
【特許請求の範囲】
【請求項１】
防水床パンが、床面の周縁部に、床面から立ち上がる立上壁と、この立上壁の上縁から外側に張り出し壁パネルの下端を下方から受けるパネル受部と、パネル受部の先端から立ち上がる水返し部とを有するとともに、前記立上壁、パネル受部および水返し部が中間部で切り欠かれた形状のドア枠の下端が嵌まり込むドア枠嵌合部をその一部に備え、
ドア枠が、このドア枠嵌合部にその下端を嵌合され、ドア枠と前記ドア枠嵌合部との間に止水材が充填されているドア枠の取付構造において、
ドア枠嵌合部の端縁の内、少なくとも前記立上壁の端縁、パネル受部の端縁および水返し部の端縁とドア枠との間に配置される止水材は、弾性材料からなるシート状または棒状材で形成されていて、ドア枠を嵌合させた時にドア枠の立上壁の端縁、パネル受部の端縁および水返し部の端縁と対向する面に予め固着されており、ドア枠嵌合部の端縁に弾性変形した状態で圧接されるようにドア枠とともに前記ドア枠嵌合部に嵌め込まれることを特徴とするドア枠の取付構造。
【発明の詳細な説明】
【技術分野】
【０００１】
本発明は、浴室やシャワールーム等の内部で水を使用するユニットルームのドア枠の取付構造に関する。
【背景技術】
【０００２】
日本では高齢化が進み、住居内のバリアフリー化が叫ばれており、浴室などのユニットルームにおいては、洗い場床面と、浴室出入口との段差をできるだけ少なくするため、床面の周縁部に、床面から立ち上がる立上壁と、この立上壁の上縁から外側に張り出し壁パネルの下端を下方から受けるパネル受部と、パネル受部の端縁から立ち上がり、壁パネルの下端部を係止する水返し部とを有する防水床パンの、前記立上壁、パネル受部および水返し部の一部を切欠いてドア枠嵌合部を形成し、このドア枠嵌合部にドア枠を嵌合することによって、ドア枠の跨ぎ込み高さを略洗い場床面に一致させるようにしたア枠の取付構造が既に提案されている（たとえば、特許文献１参照）。
【０００３】
【特許文献１】特開２０００−１８６４３４号公報
【発明の開示】
【発明が解決しようとする課題】
【０００４】
ところで、上記の取付構造の場合、ドア枠と防水床パンとの間を止水する止水材として、シリコーンコーキング材等のシーリング材が用いられており、まず、ドア枠をドア枠嵌合部に嵌合したのち、ドア枠と前記ドア枠嵌合部との隙間を塞ぐようにシーリング材が充填されるようになっている。
【０００５】
しかし、止水材として上記のようにシーリング材を用いた場合、シーリング材が経年変化によって劣化し、引っ張り弾性力がなくなり切れやすくなる。特に、ドアの開け閉めによって振動が加わりやすい立上壁の端縁、パネル受部の端縁および水返し部の端縁とドア枠との間の部分が切れやすい。そして、かかる部分のシーリング材が切れると壁パネルを伝ってパネル受部に受けられた水がその切れ目から床下等に漏水したり、床材を濡らし、床材の腐りを招く恐れがある。したがって、シーリング材を頻繁に代える必要があり面倒である。また、ドア枠をドア枠嵌合部に嵌合させたのち、シーリング材の充填作業を行わなければならないため、作業が煩雑である上、作業者によるシーリング材の充填不備によって止水性を十分に確保できない恐れがある。
【０００６】
本発明は、上記事情に鑑みて、ドア枠の取付作業性に優れ、かつ、耐久性に優れた止水状態を容易に得られるドア枠の取付構造を提供することを目的としている。
【課題を解決するための手段】
【０００７】
上記目的を達成するために、本発明にかかるドア枠の取付構造は、防水床パンが、床面の周縁部に、床面から立ち上がる立上壁と、この立上壁の上縁から外側に張り出し壁パネルの下端を下方から受けるパネル受部と、パネル受部の先端から立ち上がる水返し部とを有するとともに、前記立上壁、パネル受部および水返し部が中間部で切り欠かれた形状のドア枠の下端が嵌まり込むドア枠嵌合部をその一部に備え、ドア枠が、このドア枠嵌合部にその下端を嵌合され、ドア枠と前記ドア枠嵌合部との間に止水材が充填されているドア枠の取付構造において、ドア枠嵌合部の端縁の内、少なくとも前記立上壁の端縁、パネル受部の端縁および水返し部の端縁とドア枠との間に配置される止水材は、弾性材料からなるシート状または棒状材で形成されていて、ドア枠を嵌合させた時にドア枠の立上壁の端縁、パネル受部の端縁および水返し部の端縁と対向する面に予め固着されており、ドア枠
嵌合部の端縁に弾性変形した状態で圧接されるようにドア枠とともに前記ドア枠嵌合部に嵌め込まれることを特徴としている。
【０００８】
本発明において、止水材として用いられる弾性材料としては、止水性を確保できれば特に限定されないが、たとえば、樹脂連続気泡発泡体、樹脂独立気泡発泡体、エラストマーなどのゴム状体が挙げられる。
止水材の固着方法は、特に限定されないが、たとえば、接着剤や両面粘着テープを用いる方法が挙げられる。
【発明の効果】
【０００９】
本発明にかかるドア枠の取付構造は、以上のように、ドア枠嵌合部の端縁の内、少なくとも立上壁の端縁、パネル受部の端縁および水返し部の端縁とドア枠との間に配置される止水材は、弾性材料からなるシート状または棒状材で形成されていて、ドア枠を嵌合させた時にドア枠の立上壁の端縁、パネル受部の端縁および水返し部の端縁と対向する面に予め固着されており、ドア枠嵌合部の端縁に弾性変形した状態で圧接されるようにドア枠とともに前記ドア枠嵌合部に嵌め込まれる構成としたので、ドア枠をドア枠嵌合部に嵌合後、シーリング材を充填する従来の取付構造に比べて、作業工数が少なくなる。
しかも、予め止水材がドア枠に取り付けられているので、ドア枠嵌合部にドア枠を嵌合させるだけで、容易に止水状態を確保できる。また、止水材が、従来のシーリング材に比べて経年変化することが少なく、長期間安定して止水状態を保つことができる。
【発明を実施するための最良の形態】
【００１０】
以下に、本発明を、その実施の形態をあらわす図面を参照しつつ詳しく説明する。
図１〜図４は、本発明にかかるドア枠の取付構造の１つの実施の形態をあらわしている。
【００１１】
この取付構造は、図１および図２に示すように、止水材１および止水材２が予め両面粘着テープ（図示せず）を介して取り付けられたドア枠３が、図３に示すような防水床パン４のドア枠嵌合部４１に嵌合された状態で取り付けられるようになっている。
詳しく説明すると、防水床パン４は、床面４２の周縁部に、床面４２から立ち上がる立上壁４３と、この立上壁４３の上縁から外側に張り出し壁パネル（図示せず）の下端を下方から受けるパネル受部４４と、パネル受部４４の端縁から立ち上がり、壁パネルの下端部を係止する水返し部４５とを有するとともに、立上壁４３、パネル受部４４および水返し部４５が幅方向に切り欠かれた形状のドア枠嵌合部４１をその一部に備えている。
【００１２】
ドア枠３は、その下端部がドア枠嵌合部４１に嵌まり込む大きさになっている。
一方の止水材１は、図１および図２に示すように、シート状をしたＥＰＤＭ（エチレン−プロピレンージエン共重合体）ゴム発泡体（たとえば、日東電工社製エプトシーラー）からなり、ドア枠３のドア枠嵌合部４１への嵌合時にドア枠嵌合部４１の立上壁４３の端縁、パネル受部４４の端縁、水返し部４５の端縁とドア枠３との間で圧縮されるように、ドア枠３の側面３１の下端部からドア枠３の下面３２の一部に沿うようにドア枠３の両側部（図１および図２では片側しかあらわれていない）で両面粘着テープ（図示せず）を介してそれぞれドア枠３に予め固着されている。
【００１３】
他方の止水材２は、棒状をしたＥＰＤＭゴム発泡体（たとえば、日東電工社製エプトシーラー）からなり、図２に示すように、その両端部（図２では片側しかあらわれていない）２１を残して両面粘着テープ（図示せず）を介してドア枠３の下枠３ａの洗い場側の面に水平に固着され、両端部２１がそれぞれドア枠３のドア枠嵌合部４１への嵌合時に立上壁４３の端縁に対面する位置で両面粘着テープ（図示せず）を介して止水材１の表面に固着されている。
【００１４】
そして、上記のようにして止水材１および止水材２が予め固着されたドア枠３は、下枠３ａと防水床パン４の端面４５とが密着し、その下面がドアパン５に受けられるように、その下端部をドア枠嵌合部４１に嵌合させることによって取り付けられる。
また、この嵌合によって、止水材２が止水材１の一部とともに、立上壁４３の端縁とドア枠３の側面との間で圧縮状態となるとともに、止水材１がパネル受部４４の端縁および水返し部４５の端縁とドア枠３との間で圧縮状態になり、立上壁４３の端縁、パネル受部４４の端縁および水返し部４５の端縁とドア枠３との間が水密状態になる。
【００１５】
以上のように、この取付構造によれば、ドア枠３の下端部をドア枠嵌合部４１に嵌合させるだけで止水性を確保できるので、ドア枠３の取付作業性がよい。しかも、止水材１および止水材２がＥＰＤＭゴム発泡体で形成されているので、従来のシーリング材に比べて経年変化することが少なく、長期間安定して止水状態を保つことができる。
【００１６】
また、止水材１は、その一部がドア枠３の下面を覆うようにドア枠３に固着されているので、ドア枠嵌合部４１への嵌合の際、ドア枠３の下面を覆った部分が圧縮され止水材１が剥がれたりすることがない。
なお、図４中、Ｓはシーリング材、Ｆは洗面所等の浴室隣室の床である。
【００１７】
本発明にかかるドア枠の取付構造は、上記の実施の形態に限定されない。たとえば、上記の実施の形態では、止水材２が設けられていたが、止水材１のみでも構わない。
また、上記の実施の形態では、止水材１および止水材２のみで立上壁４３の端縁、パネル受部４４の端縁および水返し部４５の端縁とドア枠３との間の止水を図るようになっているが、止水材１および止水材２を隠蔽するように上からシーリング材を充填するようにしても構わない。このようにすれば、シーリング材が経年変化して切れたりするまで、止水材１および止水材２が水に曝されることがないので、より長期間安定して止水状態を保つことができる。
【図面の簡単な説明】
【００１８】
【図１】本発明にかかるドア枠の取付構造を説明する図であって、止水材の固着前の状態をあらわす斜視図である。
【図２】本発明にかかるドア枠の取付構造を説明する図であって、止水材の固着後の状態をあらわす斜視図である。
【図３】防水床パンのドア枠嵌合部近傍の斜視図である。
【図４】本発明にかかるドア枠の取付構造を説明する図であって、ドア枠の取付状態の要部重縦断面図である。
【符号の説明】
【００１９】
１，２  止水材
３  ドア枠
４  防水床パン
４１  ドア枠嵌合部
４２  床面
４３  立上壁
４４  パネル受部
４５  水返し部
【図１】
2005146794.tif 000003
【図２】
2005146794.tif 000004
【図３】
2005146794.tif 000005
【図４】
2005146794.tif 000006